(57)【要約】【課題】溝部を適切に形成しやすいコネクタを提供する。【解決手段】コネクタ１は、ケース１１と共に回路基板１２が収容される内部空間１３を形成する。コネクタ１は、複数の第一端子２と第一中子５と第二端子と第二中子とハウジング８と通気路１４とを備える。第一中子５は、第一端子２の両端部を露出させつつ第一端子２を保持する。第二中子は、第一中子５に対面して重なる。第二中子は、第二端子の両端部を露出させつつ第二端子を保持する。ハウジング８は、第一中子５の少なくとも一部及び第二中子の少なくとも一部を覆う。通気路１４は、ケース１１の内部空間１３を外気に連通させる。通気路１４の少なくとも一部は、第一中子５と第二中子との互いの重なり面のうちの少なくとも一方に形成された溝部５１２によって構成されている。溝部５１２は、重なり面内において曲がった形状を有する。【選択図】図３
2020135990.tif 000002
【特許請求の範囲】
【請求項１】
ケースと共に回路基板が収容される内部空間を形成するコネクタであって、
複数の第一端子と、
前記第一端子の両端部を露出させつつ前記第一端子を保持する第一中子と、
複数の第二端子と、
前記第一中子に対面して重なり、前記第二端子の両端部を露出させつつ前記第二端子を保持する第二中子と、
前記第一中子の少なくとも一部及び前記第二中子の少なくとも一部を覆うハウジングと、
前記内部空間を外気に連通させる通気路と、を備え、
前記通気路の少なくとも一部は、前記第一中子と前記第二中子との互いの重なり面のうちの少なくとも一方に形成された溝部によって構成されており、
前記溝部は、前記重なり面内において曲がった形状を有する、コネクタ。
【請求項２】
前記第一中子及び前記第二中子は、前記回路基板に平行な面方向に形成されたベース中子部と、前記ベース中子部から前記内部空間側と反対側に突出したタワー中子部とを有し、
前記溝部は、前記タワー中子部に形成されたタワー溝を有し、
前記タワー溝は、前記ベース中子部からの前記タワー中子部の突出方向に長尺な外側溝部と、前記外側溝部に対して前記突出方向に直交する横方向にオフセットした位置において前記突出方向に長尺に形成されるとともに前記外側溝部よりも前記通気路における前記内部空間に近い側に形成された内側溝部と、前記外側溝部と前記内側溝部とを連結する連結溝部とを有する、請求項１に記載のコネクタ。
【請求項３】
前記第一端子及び前記第二端子の少なくとも一方は、前記ベース中子部に埋設されたベース端子部を有し、
前記ベース中子部は、前記面方向において前記ベース端子部からずれた位置に形成されて前記通気路の一部を構成する孔部を有し、
前記タワー溝の前記外側溝部を前記突出方向に延長した延長線上には、前記ベース端子部が配されており、
前記タワー溝の前記内側溝部は、前記孔部に連通している、請求項２に記載のコネクタ。
【請求項４】
前記ベース中子部は、前記ベース端子部同士の間に前記孔部を有する、請求項３に記載のコネクタ。
【請求項５】
前記第一中子の前記重なり面と前記第二中子の前記重なり面とは、一方に形成された凸条部が他方に形成された凹条部に嵌合してなる嵌合部を有し、
前記嵌合部は、前記横方向における前記タワー溝の一方側に、前記外側溝部に沿う外側嵌合部と前記内側溝部に沿う内側嵌合部とを有し、
前記内側嵌合部は、前記外側嵌合部に対して、前記横方向の一方側であって前記内側溝部が前記外側溝部に対してオフセットした側と同じ側にオフセットしている、請求項２から４のいずれか１項に記載のコネクタ。
【発明の詳細な説明】
【技術分野】
【０００１】
本開示は、コネクタに関する。
【背景技術】
【０００２】
特許文献１には、回路基板を収容するケースの壁部に取り付けられた機器用コネクタが開示されている。前記機器用コネクタには、回路基板の発熱に起因してケース内の圧力が上昇することを抑制するため、ケースの内外を連通させる通気口が形成されている。
【０００３】
ここで、通気口を機器用コネクタのコネクタハウジングに形成する場合、コネクタハウジングの成形型の中に通気口を形成するためのピンを配置し、コネクタハウジングの成形後にピンを抜くことでコネクタハウジング内に通気口を形成することができる。しかしながら、この場合、前記ピンが長尺になりやすく、コネクタハウジング成形時等にピンが折れる等して通気口がうまく形成されないことが考えられる。
【０００４】
そこで、特許文献１に記載の機器用コネクタにおいては、それぞれ端子金具を保持する２つの一次成形体と、２つの一次成形体を中子としてインサート成形されたコネクタハウジングとを用い、２つの一次成形体を重ね合わせることにより通気口を形成している。具体的には、一方の一次成形体の合わせ面に溝部を形成し、他方の一次成形体の合わせ面で溝部の開口側を覆うよう２つの一次成形体を重ね合わせることで、溝部の内側に通気口を形成している。
【０００５】
特許文献１に記載された機器用コネクタにおいて、溝部は、一次成形体における互いに直交するよう隣接する２つの合わせ面に跨るように形成されている。そして、特許文献１に記載されたコネクタにおいては、一次成形体における各平面状の合わせ面内に形成された溝部の部位は、直線状である。
【先行技術文献】
【特許文献】
【０００６】
【特許文献１】特開２０１２−９９２７４号公報
【発明の概要】
【発明が解決しようとする課題】
【０００７】
しかしながら、第一中子や第二中子に形成された第一端子や第二端子等の配置や形状によっては、通気口用の溝部を平面状の合わせ面内において直線状に形成できない場合も考えられる。つまり、特許文献１における溝部の構造によっては、溝部が第一端子や第二端子等に干渉するために、溝部を適切に形成することが困難な場合がある。
【０００８】
本開示は、かかる課題に鑑みてなされたものであり、溝部を適切に形成しやすいコネクタを提供しようとするものである。
【課題を解決するための手段】
【０００９】
本開示の一態様は、ケースと共に回路基板が収容される内部空間を形成するコネクタであって、
複数の第一端子と、
前記第一端子の両端部を露出させつつ前記第一端子を保持する第一中子と、
複数の第二端子と、
前記第一中子に対面して重なり、前記第二端子の両端部を露出させつつ前記第二端子を保持する第二中子と、
前記第一中子の少なくとも一部及び前記第二中子の少なくとも一部を覆うハウジングと、
前記内部空間を外気に連通させる通気路と、を備え、
前記通気路の少なくとも一部は、前記第一中子と前記第二中子との互いの重なり面のうちの少なくとも一方に形成された溝部によって構成されており、
前記溝部は、前記重なり面内において曲がった形状を有する、コネクタにある。
【発明の効果】
【００１０】
前記態様のコネクタにおいて、通気路用の溝部は、重なり面内において曲がった形状を有する。そのため、溝部を直線状に形成すると、溝部が第一中子に形成された第一端子や第二中子に形成された第二端子等に干渉する場合であっても、溝部が第一端子、第二端子等に干渉しないようにすることができる。
【００１１】
以上のごとく、前記態様によれば、溝部を適切に形成しやすいコネクタを提供することができる。
【図面の簡単な説明】
【００１２】
【図１】図１は、実施形態１における、コネクタを備えた制御機器の平面図である。
【図２】図２は、実施形態１における、コネクタを備えた制御機器の側面図である。
【図３】図３は、図１の、III−III線矢視断面図である。
【図４】図４は、図３の、タワー溝周辺の拡大断面図である。
【図５】図５は、図２の、Ｖ−Ｖ線矢視断面図である。
【図６】図６は、図２の、VI−VI線矢視断面図である。
【図７】図７は、実施形態１における、第一端子、第一中子、第二端子、第二中子、第三端子、及び第三中子の斜視図である。
【図８】図８は、実施形態１における、第一端子及び第一中子と、第二端子及び第二中子と、第三端子及び第三中子との分解斜視図である。
【図９】図９は、実施形態１における、第一端子及び第一中子と、第二端子及び第二中子と、第三端子及び第三中子との分解平面図である。
【図１０】図１０は、実施形態１における、第一端子及び第一中子及を第二中子側から見た図である。
【図１１】図１１は、図９のXI−XI線矢視断面図である。
【図１２】図１２は、図１１のXII−XII線矢視断面図である。
【図１３】図１３は、実施形態１における、第二端子及び第二中子の斜視図である。
【図１４】図１４は、図９のXIV−XIV線矢視断面図である。
【図１５】図１５は、実施形態２における、コネクタの延設溝部を通る断面図である。
【図１６】図１６は、実施形態２における、第一端子及び第一中子を第二中子側から見た図である。
【図１７】図１７は、実施形態２における、第二端子及び第二中子の斜視図である。
【図１８】図１８は、実施形態３における、コネクタの図３に対応する断面図である。
【発明を実施するための形態】
【００１３】
（実施形態１）
コネクタの実施形態につき、図１〜図１４を用いて説明する。
本実施形態のコネクタ１は、図３に示すごとく、ケース１１と共に回路基板１２が収容される内部空間１３を形成する。コネクタ１は、複数の第一端子２と第一中子５と第二端子３と第二中子６とハウジング８と通気路１４とを備える。
【００１４】
図７、図８に示すごとく、第一中子５は、第一端子２の両端部を露出させつつ第一端子２を保持する。第二中子６は、第一中子５に対面して重なる。第二中子６は、第二端子３の両端部を露出させつつ第二端子３を保持する。図３、図５、図６に示すごとく、ハウジング８は、第一中子５の少なくとも一部及び第二中子６の少なくとも一部を覆う。
【００１５】
図３に示すごとく、通気路１４は、ケース１１の内部空間１３を外気に連通させる。図３〜図６に示すごとく、通気路１４の少なくとも一部は、第一中子５と第二中子６との互いの重なり面のうちの少なくとも一方に形成された溝部５１２によって構成されている。図３、図４に示すごとく、溝部５１２は、重なり面内において曲がった形状を有する。
以後、本実施形態につき詳説する。
【００１６】
〔コネクタ１〕
図３に示すごとく、コネクタ１は、例えば自動変速機等の車載装置の動作を制御する回路基板１２を備えた制御機器１０用のコネクタとして用いることができる。制御機器１０は、箱状のケース１１内に、通電により発熱する回路基板１２を収容してなる。本形態のコネクタ１は、ケース１１内に収容された回路基板１２と、ケース１１の外部の電気機器とを電気的に接続するためのコネクタとして用いることができる。
【００１７】
図１に示すごとく、コネクタ１は、一対の第一端子２、６つの第二端子３、及び６つの第三端子４を有する。第一端子２、第二端子３、及び第三端子４は、いずれも導体ピンで構成されており、コネクタ１は、いわゆる雄コネクタである。そして、図３に示すごとく、コネクタ１に接続される相手方コネクタ１９１は、いわゆる雌コネクタである。本実施形態において、第一端子２は電源用の一対の端子を構成し、第二端子３、第三端子４は制御用の端子を構成しているが、これに限られない。
【００１８】
〔第一中子５〕
図８〜図１０に示すごとく、第一中子５は、一対の第一端子２が平行に並ぶ状態となるよう一対の第一端子２を保持している。第一端子２は、所定間隔で配されており、当該所定間隔は第一中子５によって維持されている。
【００１９】
第一中子５は、回路基板１２に平行な面方向に形成された第一ベース中子部５２と、第一ベース中子部５２から回路基板１２の法線方向（以後、「Ｚ方向」という。）におけるケース１１の内部空間１３側の反対側に突出した第一タワー中子部５１とを有する。以後、Ｚ方向における第一ベース中子部５２から前記第一タワー中子部５１が突出する側をＺ１側といい、その反対側をＺ２側という。
【００２０】
第一タワー中子部５１は、Ｚ方向に直交するＸ方向に厚みを有する。図８、図９に示すごとく、第一タワー中子部５１におけるＸ方向の一方側の面には、第二中子６の後述の第二タワー中子部６１と重なる重なり面が形成されている。以後、第一タワー中子部５１における第二タワー中子部６１と重なる面を第一重なり面５１１といい、第二タワー中子部６１における第一タワー中子部５１の第一重なり面５１１と重なる面を第二重なり面６１１という。Ｘ方向における一方側であって、第一タワー中子部５１に対する第二タワー中子部６１側をＸ２側といい、その反対側をＸ１側という。
【００２１】
第一重なり面５１１は、Ｘ方向に直交する面状に形成されている。図１０に示すごとく、第一タワー中子部５１の第一重なり面５１１には、前述の溝部５１２を構成するタワー溝が形成されている。タワー溝は、前述の通気路１４の少なくとも一部を構成するものである。本実施形態において、溝部５１２は、タワー溝のみによって構成されており、以後、溝部５１２をタワー溝５１２という。
【００２２】
図８に示すごとく、タワー溝５１２は、第一重なり面５１１の一部が凹むように形成されている。図５、図６に示すごとく、タワー溝５１２は、その形成方向に直交する断面において、その内側空間が四角形状となるよう形成されている。図１０、図１１に示すごとく、タワー溝５１２は、Ｚ方向に長尺に形成されている。
【００２３】
タワー溝５１２は、第一重なり面５１１内において屈曲したクランク形状を有する。タワー溝５１２は、外側溝部５１２ａと連結溝部５１２ｂと内側溝部５１２ｃとを有する。
【００２４】
外側溝部５１２ａは、Ｚ方向に長尺に形成されている。図１０に示すごとく、外側溝部５１２ａは、Ｙ方向における第一重なり面５１１の略中央に位置している。Ｙ方向は、Ｘ方向とＺ方向との双方に直交する方向である。
【００２５】
図１０、図１１に示すごとく、連結溝部５１２ｂは、外側溝部５１２ａにおけるＺ２側の端部からＹ方向の一方側に向かってＹ方向に形成されている。Ｙ方向の連結溝部５１２ｂの長さは、Ｚ方向の外側溝部５１２ａの長さよりも短尺に形成されている。
【００２６】
内側溝部５１２ｃは、連結溝部５１２ｂにおけるＹ方向の外側溝部５１２ａと連通する側と反対側の端部からＺ２側に向かって形成されている。内側溝部５１２ｃは、外側溝部５１２ａに対してＹ方向にオフセットした位置においてＺ方向に長尺に形成されている。また、内側溝部５１２ｃは、外側溝部５１２ａよりも通気路１４におけるケース１１の内部空間１３に近い側に形成されている。内側溝部５１２ｃは、Ｚ方向にまっすぐ形成されており、Ｚ２側端部が開放されている。以後、Ｙ方向における内側溝部５１２ｃに対する外側溝部５１２ａ側をＹ１側といい、その反対側をＹ２側という。
【００２７】
図４に示すごとく、内側溝部５１２ｃのＺ２側端部の開放部は、第二中子６に形成された後述の第二孔部６２１、及び後述の第三中子７に形成された第三孔部７２１を介して内部空間１３に連通している。第二孔部６２１及び第三孔部７２１は、タワー溝５１２と共に通気路１４の一部を構成している。
【００２８】
図６、図９、図１０、図１１に示すごとく、第一タワー中子部５１における、外側溝部５１２ａの底部のＺ１側の端部からＸ１側には、貫通孔５１３が形成されている。貫通孔５１３は、第一タワー中子部５１をＸ方向に貫通するよう形成されている。貫通孔５１３は、その長手方向（Ｘ方向）に直交する断面において、その内側空間が円状となるよう形成されている。図６、図１１に示すごとく、貫通孔５１３は、一対の第一端子２の間を通り抜けるように形成されている。第一端子２は、貫通孔５１３には露出していない。
【００２９】
図６に示すごとく、貫通孔５１３のＸ１側には、ハウジング８のハウジング開口部８１０が形成されている。ハウジング開口部８１０は、貫通孔５１３を外気に開放するための開口である。タワー溝５１２は、貫通孔５１３及びハウジング開口部８１０を介して外気に連通している。貫通孔５１３及びハウジング開口部８１０は、タワー溝５１２と共に通気路１４の一部を構成している。
【００３０】
図１０、図１１に示すごとく、第一重なり面５１１には、複数の凹条部（第一凹条部５１４ａ、第二凹条部５１４ｂ、第三凹条部５１４ｃ、及び第四凹条部５１４ｄ）が形成されている。図５に示すごとく、凹条部は、第二中子６に形成された後述の凸条部が挿入嵌合される溝である。
【００３１】
第一凹条部５１４ａは、第一重なり面５１１におけるタワー溝５１２全体のＹ２側において、Ｚ方向にまっすぐ形成されている。Ｚ方向において、第一凹条部５１４ａは、Ｚ方向におけるタワー溝５１２の形成領域の全体に形成されている。第一凹条部５１４ａのＺ２側の端部は、開放されている。
【００３２】
第二凹条部５１４ｂは、タワー溝５１２の連結溝部５１２ｂのＺ２側において、連結溝部５１２ｂに沿うようにＹ方向に形成された部位と、タワー溝５１２の内側溝部５１２ｃのＹ１側において、内側溝部５１２ｃに沿うようにＺ方向に形成された部位とを有し、全体としてＬ字状を呈している。第二凹条部５１４ｂは、連結溝部５１２ｂ及び内側溝部５１２ｃと平行に形成されている。第二凹条部５１４ｂのＺ２側端部は、Ｚ２側に開放されている。第二凹条部５１４ｂは、連結溝部５１２ｂ及び内側溝部５１２ｃの近傍に形成されている。
【００３３】
第三凹条部５１４ｃは、第一重なり面５１１のＹ１側の端部において、Ｚ方向にまっすぐ形成されている。第三凹条部５１４ｃは、外側溝部５１２ａのＹ１側において、外側溝部５１２ａに沿うように形成されている。第三凹条部５１４ｃは、第二凹条部５１４ｂよりもＹ１側に形成されている。Ｚ方向において、第三凹条部５１４ｃは、タワー溝５１２のＺ１側端部の位置から外側溝部５１２ａのＺ２側端部の位置よりもＺ２側の位置まで形成されている。第三凹条部５１４ｃのＺ２側端部は、第二凹条部５１４ｂのＺ１側端部とＹ方向に重なる位置に形成されている。
【００３４】
第四凹条部５１４ｄは、第一重なり面５１１におけるＹ２側端部のＺ２側端部に形成されている。第四凹条部５１４ｄは、第三凹条部５１４ｃのＺ２側に形成されている。そして、図８〜図１０に示すごとく、第一タワー中子部５１のＺ２側端部から、第一ベース中子部５２が形成されている。
【００３５】
第一ベース中子部５２は、Ｚ方向に直交する面状に形成されている。第一ベース中子部５２は、第一タワー中子部５１からＸ１側に形成されるとともに、第一タワー中子部５１よりもＹ１側に突出している。第一ベース中子部５２のＹ１側端部からＺ２側に向かって、第一端子２の回路基板１２に接続される側の端部が突出している。
【００３６】
〔第一端子２〕
図１１に示すごとく、第一タワー中子部５１のＺ１側端部から、一対の第一端子２のそれぞれの端部である第一突出端子部２１が、Ｚ１側に向かって突出している。一対の第一端子２における第一突出端子部２１は、Ｙ方向に所定間隔をあけて並んでいる。
【００３７】
第一端子２における第一タワー中子部５１内に埋設された部位を第一タワー端子部２２という。２つの第一タワー端子部２２のうちのＹ１側の第一タワー端子部２２は、Ｙ方向における第二凹条部５１４ｂと、第三凹条部５１４ｃ及び第四凹条部５１４ｄとの間を通るようＺ方向にまっすぐ形成されている。
【００３８】
図１２に示すごとく、２つの第一タワー端子部２２のうちのＹ２側の第一タワー端子部２２は、Ｙ方向に直交する面方向において屈曲したクランク形状を有する。すなわち、当該Ｙ２側の第一タワー端子部２２は、第一突出端子部２１からＺ２側に形成された第一先端タワー端子２２１と、第一先端タワー端子２２１からＸ１側に延設された第一中間タワー端子２２２と、第一中間タワー端子２２２のＸ１側端部からＺ２側に延設された第一基端タワー端子２２３と、を有する。
【００３９】
図１１、図１２に示すごとく、第一先端タワー端子２２１は、連結溝部５１２ｂとＺ方向に重なる位置に形成されている。第一先端タワー端子２２１は、第一突出端子部２１からＺ方向における連結溝部５１２ｂよりも若干Ｚ２側の位置まで形成されている。そして、図１２に示すごとく、第一中間タワー端子２２２は、タワー溝５１２よりもＸ１側の位置まで形成されている。第一基端タワー端子２２３は、タワー溝５１２のＸ１側の位置において、Ｚ方向にまっすぐ形成されている。このように、第一端子２の少なくとも一方は、タワー溝５１２を避けるようクランク状に形成されている。
【００４０】
〔第二中子６〕
図８、図９、図１３に示すごとく、第二中子６は、６つの第二端子３が平行に並ぶ状態となるよう第二端子３を保持している。第二端子３は、所定間隔で配されており、当該所定間隔は第二中子６によって維持されている。
【００４１】
第二中子６は、回路基板１２に平行な面方向に形成された第二ベース中子部６２と、第二ベース中子部６２からＺ１側に突出した第二タワー中子部６１とを有する。図７〜図９に示すごとく、第二中子６は、第二タワー中子部６１を第一タワー中子部５１のＸ２側に重ね、第二ベース中子部６２の一部を第一ベース中子部５２のＺ２側に重ねるよう、第一中子５に組み付けられる。
【００４２】
図１３に示すごとく、第二タワー中子部６１は、Ｘ方向に厚みを有する。第二タワー中子部６１におけるＸ１側の面は、第一中子５の第一タワー中子部５１の第一重なり面５１１と重なる第二重なり面６１１を構成している。
【００４３】
第二重なり面６１１は、Ｘ方向に直交する面状に形成されている。第二重なり面６１１に第一中子５のタワー溝５１２をＸ方向に投影した領域は、Ｘ方向に直交する平面状に形成されている。そして、第一中子５と第二中子６とが重なった状態において、第二重なり面６１１はタワー溝５１２をＸ２側から閉塞しており、タワー溝５１２と第二重なり面６１１との間に通気路１４の一部が形成されている。
【００４４】
図１３に示すごとく、第二重なり面６１１には、複数の凸条部（第一凸条部６１２ａ、第二凸条部６１２ｂ、第三凸条部６１２ｃ、及び第四凸条部６１２ｄ）が形成されている。図４、図５に示すごとく、凸条部は、第二重なり面６１１から第一中子５が配された側（Ｘ１側）に突出するよう形成されている。
【００４５】
凸条部は、第一中子５の凹条部を第二重なり面６１１にＸ方向に投影した領域に形成されている。第一中子５と第二中子６とが重なり合った状態において、第一凸条部６１２ａは第一凹条部５１４ａに挿入嵌合され、第二凸条部６１２ｂは第二凹条部５１４ｂに挿入嵌合され、第三凸条部６１２ｃは第三凹条部５１４ｃに挿入嵌合され、第四凸条部６１２ｄは第四凹条部５１４ｄに挿入嵌合される。
【００４６】
図４に示すごとく、凸条部と凹条部とが嵌合した部位を嵌合部１５と呼ぶ。そして、タワー溝５１２のＹ１側には、嵌合部１５における、外側溝部５１２ａに沿う部位である外側嵌合部１５ａと、嵌合部１５における、内側溝部５１２ｃに沿う部位である内側嵌合部１５ｂとがある。外側嵌合部１５ａは、第三凸条部６１２ｃの一部及び第三凹条部５１４ｃの一部によって構成されており、内側嵌合部１５ｂは、第二凸条部６１２ｂの一部及び第二凹条部５１４ｂの一部によって構成されている。ここで、前述のごとく、内側溝部５１２ｃは、外側溝部５１２ａに対してＹ２側にオフセットした位置に配されている。そして、内側嵌合部１５ｂは、外側嵌合部１５ａに対してＹ２側にオフセットした位置に配されている。これにより、内側嵌合部１５ｂ及び外側嵌合部１５ａの双方を、屈曲したタワー溝５１２に近付けやすい。
【００４７】
Ｚ方向に直交する断面において、凸条部は、嵌合する凹条部と略同等の形状を有する。すなわち、凸条部は、凹条部にぴったりはまっている。なお、これに限られず、例えばＺ方向に直交する断面において、凸条部を凹条部よりもやや大きくし、凸条部を凹条部に圧入するような構成を採用してもよいしい、凸条部を凹条部よりも若干小さくすることも可能である。そして、第二タワー中子部６１のＺ２側端部から、Ｘ１側に第二ベース中子部６２が形成されている。
【００４８】
第二ベース中子部６２は、Ｚ方向に直交する面状に形成されている。第二ベース中子部６２は、第二タワー中子部６１からＸ１側に形成されるとともに、第二タワー中子部６１よりもＹ１側に突出している。第一ベース中子部５２のＹ１側端部からＺ２側に向かって、第二端子３の回路基板１２に接続される側の端部が突出している。
【００４９】
〔第二端子３〕
図１３、図１４に示すごとく、第二タワー中子部６１のＺ１側端部から６つの第二端子３のそれぞれの端部である第二突出端子部３１が、Ｚ１側に向かって突出している。６つの第二端子３における第二突出端子部３１は、Ｙ方向に等間隔で並んでいる。
【００５０】
６つの第二端子３における第二タワー中子部６１に埋設された部位を、第二タワー端子部３２という。各第二タワー端子部３２は、Ｚ方向の中央部が屈曲しており、全体的にクランク形状となっている。すなわち、第二タワー端子部３２は、第二突出端子部３１からＺ２側に形成された第二先端タワー端子３２１と、第二先端タワー端子３２１からＹ方向に屈曲するよう形成された第二中間タワー端子３２２と、第二中間タワー端子３２２における第二先端タワー端子３２１側と反対側の端部からＺ２側に延設された第二基端タワー端子３２３とを有する。
【００５１】
６つの第二先端タワー端子３２１は、それぞれＺ方向にまっすぐ形成されている。６つの第二先端タワー端子３２１は、Ｙ方向に等間隔で配されている。
【００５２】
６つの第二中間タワー端子３２２のうちのＹ２側端部の第二中間タワー端子３２２以外の５つは、第二先端タワー端子３２１からＺ１側に向かうほどＹ１側に向かうよう傾斜している。一方、６つの第二中間タワー端子３２２のうちのＹ２側端部に配された第二中間タワー端子３２２は、第二先端タワー端子３２１からＺ１側に向かうほどＹ２側に向かうよう傾斜している。すなわち、６つの第二中間タワー端子３２２のうちのＹ２側端部に配されたものは、Ｚ１側に向かうほど隣接する第二中間タワー端子３２２から遠ざかるよう傾斜している。
【００５３】
第二基端タワー端子３２３は、第二中間タワー端子３２２からＺ２側に、Ｚ方向に形成されている。６つの第二基端タワー端子３２３のうちＹ２側端部に配された第二基端タワー端子３２３と、これに隣接する第二基端タワー端子３２３との間のＹ方向の間隔は、他の第二基端タワー端子３２３同士の間隔よりも広くなっている。
【００５４】
ここで、図１４においては、Ｘ方向から見たときのタワー溝５１２の外郭を二点鎖線で表している。図１４に示すごとく、Ｙ方向において、Ｙ２側端部の第二基端タワー端子３２３と、これに隣接する第二基端タワー端子３２３との間の領域に、タワー溝５１２の内側溝部５１２ｃが位置している。
【００５５】
図１３に示すごとく、６つの第二タワー端子部３２のＺ２側端部からＸ１側に、第二ベース端子部３３が延設されている。第二ベース端子部３３は、第二中子６の第二ベース中子部６２に埋設された部位である。なお、第二端子３における第二ベース中子部６２に埋設された部位の一部の表面は、第二ベース中子部６２から露出している。
【００５６】
図４、図９、図１３に示すごとく、６つの第二ベース端子部３３は、第二タワー端子部３２からＸ１側に向かってＸ方向に形成されるとともにＹ方向に並ぶよう形成された６つの第二特定端子部３３１を備える。
【００５７】
６つの第二特定端子部３３１は、Ｙ２側端部に配された第二離隔端子３３１ａと、Ｙ方向に等間隔に配された５つの第二特定端子部３３１からなる第二等間隔端子群３３１ｂと、を備える。Ｙ方向における第二離隔端子３３１ａと第二等間隔端子群３３１ｂにおける最も第二離隔端子３３１ａ側に配された第二特定端子部３３１との間隔は、Ｙ方向における第二等間隔端子群３３１ｂの互いに隣接する第二特定端子部３３１同士の間隔よりも大きい。
【００５８】
そして、第二中子６の第二ベース中子部６２における第二離隔端子３３１ａと第二等間隔端子群３３１ｂとのＹ方向の間の部位に、第二孔部６２１が形成されている。つまり、第二孔部６２１は、第二端子３を避けるよう第二ベース中子部６２に形成されている。
【００５９】
第二孔部６２１は、第二ベース中子部６２をＺ方向に貫通するよう形成されている。図４に示すごとく、第二孔部６２１は、第一中子５と第二中子６とを重ね合わせた状態において、タワー溝５１２の内側溝部５１２ｃのＺ２側の開放部にＺ方向に重なり、内側溝部５１２ｃに連通するよう形成されている。Ｚ方向から見たときの第二孔部６２１の大きさは、内側溝部５１２ｃのＺ２側の開放部の大きさと同等である。
【００６０】
図４に示すごとく、第一中子５と第二中子６とを重ね合わせた状態において、タワー溝５１２の外側溝部５１２ａは、Ｚ方向において、第二等間隔端子群３３１ｂと重なる位置に形成されている。それゆえ、第二ベース中子部６２における外側溝部５１２ａとＺ方向に重なる部位には、第二孔部６２１を形成することができない。それゆえ、本実施形態においては、タワー溝５１２をクランク状に形成し、タワー溝５１２を、外側溝部５１２ａからＹ方向にずれた位置に形成された第二孔部６２１に連通できるようにしている。
【００６１】
〔第三中子７〕
図７〜図９に示すごとく、第三中子７は、６つの第三端子４が平行に並ぶ状態となるよう第三端子４を保持している。第三端子４は、所定間隔で配されており、当該所定間隔は第三中子７によって維持されている。
【００６２】
図８、図９に示すごとく、第三中子７は、回路基板１２に平行な面方向に形成された第三ベース中子部７２と、第三ベース中子部７２からＺ１側に突出した第三タワー中子部７１と、を有する。第三中子７は、第三タワー中子部７１を第二タワー中子部６１のＸ２側に重ね、第三ベース中子部７２の一部を第二ベース中子部６２のＺ２側に重ねるよう、第二中子６に組み付けられる。
【００６３】
第三タワー中子部７１は、Ｚ方向に直交するＸ方向に厚みを有する。そして、第三タワー中子部７１におけるＸ１側の面は、第二中子６の第二タワー中子部６１のＸ２側の面にＸ方向に重なっている。第三タワー中子部７１におけるＸ１側の面、及び第二タワー中子部６１のＸ２側の面のそれぞれは、Ｘ方向に直交する面状に形成されている。
【００６４】
図８に示すごとく、第二タワー中子部６１のＸ２側の面には、Ｘ２側に突出する位置決め凸部６１３が形成されており、第三タワー中子部７１のＸ１側の面には、位置決め凸部６１３が係合する位置決め凹部（図示略）が形成されている。第二中子６と第三中子７とが重なった状態においては、位置決め凸部６１３が位置決め凹部内に挿入嵌合され、これにより、第二中子６と第三中子７との間のＸ方向に直交する方向の位置ずれが防止される。第三タワー中子部７１のＺ２側端部からＸ１側に第三ベース中子部７２が形成されている。
【００６５】
第三ベース中子部７２は、Ｚ方向に直交する面状に形成されている。第三ベース中子部７２は、第三タワー中子部７１からＸ１側に形成されるとともに、第三タワー中子部７１よりもＹ１側に突出している。第三ベース中子部７２のＹ１側端部からＺ２側に向かって、第三端子４の回路基板１２に接続される側の端部が突出している。
【００６６】
〔第三端子４〕
図７〜図９に示すごとく、第三タワー中子部７１のＺ１側端部から６つの第三端子４のそれぞれの端部である第三突出端子部４１が、Ｚ１側に向かって突出している。６つの第三突出端子部４１、Ｙ方向に等間隔で並んでいる。
【００６７】
６つの第三端子４における第三タワー中子部７１に埋設された部位は、第二タワー端子部３２と同様の形状、構成を備える。そして、図４に示すごとく、第三端子４は、第三端子４における第三タワー中子部７１に埋設された部位のＺ２側端部からＸ１側に向かってＸ方向に形成されるとともに、Ｙ方向に並ぶよう形成された６つの第三特定端子部４２を備える。６つの第三特定端子部４２は、６つの第二特定端子部３３１と同様の構成を備える。
【００６８】
すなわち、６つの第三特定端子部４２は、Ｙ２側端部に配された第三離隔端子４２１と、Ｙ方向に等間隔に配された５つの第三特定端子部４２からなる第三等間隔端子群４２２と、を備える。Ｙ方向における第三離隔端子４２１と第三等間隔端子群４２２における最も第三離隔端子４２１側に配された第三特定端子部４２との間隔は、Ｙ方向における第三等間隔端子群４２２の互いに隣接する第三特定端子部４２同士の間隔よりも大きい。
【００６９】
そして、第三中子７の第三ベース中子部７２における第三離隔端子４２１と第三等間隔端子群４２２との間の部位に、第三孔部７２１が形成されている。つまり、第三孔部７２１は、第三端子４を避けるよう第三ベース中子部７２に形成されている。
【００７０】
第三孔部７２１は、第三ベース中子部７２をＺ方向に貫通するよう形成されている。第三孔部７２１は、第一中子５、第二中子６、及び第三中子７を重ね合わせた状態において、タワー溝５１２の内側溝部５１２ｃのＺ２側の開放部、及び第二中子６の第二孔部６２１にＺ方向に重なり、内側溝部５１２ｃ及び第二孔部６２１に連通するよう形成されている。Ｚ方向から見たときの第三孔部７２１の大きさは、内側溝部５１２ｃのＺ２側の開放部の大きさと同等である。
【００７１】
第一中子５、第二中子６、第三中子７のそれぞれは、これらを成形するための型に端子を配列した状態で配置し、型内に樹脂材料を注入するインサート成形によって形成されている。図３に示すごとく、第一中子５、第二中子６、及び第三中子７を覆うように、ハウジング８が形成されている。
【００７２】
〔ハウジング８〕
ハウジング８は、第一端子２を保持する第一中子５、第二端子３を保持する第二中子６、及び第三端子４を保持する第三中子７をインサート品としたインサート成形により成形されている。
【００７３】
図３に示すごとく、ハウジング８は、第一中子５の第一タワー中子部５１、第二中子６の第二タワー中子部６１、及び第三中子７第三タワー中子部７１の周囲を覆うとともに、Ｚ方向に長尺に形成されたハウジングタワー部８１と、ハウジングタワー部８１のＺ２側端部付近からＺ方向に直交する面状に形成されたハウジングベース部８２とを備える。
【００７４】
図１〜図３に示すごとく、ハウジングタワー部８１は、Ｚ１側の端部に装着部８１１を備える。図１、図３に示すごとく、装着部８１１は、第一端子２、第二端子３、及び第三端子４のそれぞれの一端部の周りを囲むとともに、相手方コネクタ１９１が内側に装着される。装着部８１１は、Ｚ方向に形成された筒状を呈している。
【００７５】
ハウジング８には、装着部８１１内に露出した端子間の電気的絶縁性を確保するための隔壁８１２が形成されている。隔壁８１２は、一対の第一端子２の間、及び、第一端子２と第二端子３との間に、Ｚ１側に突出するよう形成されている。装着部８１１のＺ２側は、ハウジング８の一部、第一中子５、第二中子６、及び第三中子７によって閉塞されている。
【００７６】
図２に示すごとく、ハウジングタワー部８１の側面における装着部８１１のＺ２側近傍の部位に、前述のハウジング開口部８１０が形成されている。前述のごとく、ハウジング開口部８１０は、第一中子５の貫通孔５１３を外気に開放する開口である。図６に示すごとく、ハウジング開口部８１０は、貫通孔５１３と連続的に、Ｘ方向の一直線状に形成されている。タワー溝５１２は、装着部８１１内の空間に直接的には連通していない。
【００７７】
図２、図６に示すごとく、ハウジングタワー部８１の側面には、ハウジング開口部８１０をＸ１側から覆う通気膜１６が配されている。通気膜１６は、液体及び固体の通過を抑制しつつ、気体の通過を許容するフィルターである。通気膜１６は、例えばフッ素樹脂又はポリオレフィンでできた多孔質膜によって構成することができる。通気膜１６は、円形を呈しているが、これに限られない。
【００７８】
図２、図３に示すごとく、ハウジングタワー部８１の側面は、ハウジング開口部８１０のＺ２側に、シール配置凹部８１３を有する。シール配置凹部８１３は、全周が内周側に凹んだ形状を有する。そして、シール配置凹部８１３に、環状のシール部１７が嵌合されている。
【００７９】
図３に示すごとく、シール部１７は、コネクタ１と、例えば相手方コネクタ１９１が取り付けられた相手方ケース１９２との間をシールする。すなわち、ハウジングタワー部８１は、相手方ケース１９２に形成された相手方配置穴１９３に挿入され、シール部１７は、コネクタ１と相手方ケース１９２の相手方配置穴１９３との間をシールする。
【００８０】
ハウジングタワー部８１のＺ２側端部及びハウジングベース部８２は、第一ケース部１１１の壁部を貫通するともに、当該壁部に密着している。
【００８１】
〔ケース１１〕
図２、図３に示すごとく、コネクタ１と共に内部空間１３を形成するケース１１は、Ｚ方向に２分割された２つの部材（第一ケース部１１１、第二ケース部１１２）を、図示しないボルトによってボルト締結してなる。第一ケース部１１１は、第一ケース部１１１を成形するための型内にコネクタ１を配置して、型内に第一ケース部１１１を構成する樹脂材料を注入するインサート成形によって形成される。これにより、ハウジング８は、第一ケース部１１１に密着するよう形成される。
【００８２】
図３に示すごとく、ハウジング８は、第一ケース部１１１との密着部に、内周側に凹む係合凹部８２１を有する。第一ケース部１１１は、係合凹部８２１内にも入り込んでいる。これにより、ハウジング８と第一ケース部１１１との密着強度を向上させている。回路基板１２は、第一ケース部１１１に設けられたボス部１１１ａに、ボルトＢで締結されている。
【００８３】
ここで、コネクタ１を備えた制御機器１０は、自動変速機内に満たされたオイルの中に配される。図３に示すごとく、制御機器１０に、相手方コネクタ１９１、相手方ケース１９２が組み付いた状態においては、制御機器１０は、シール部１７よりもＺ２側の領域が油中環境下に配される一方、シール部１７よりもＺ１側の領域は相手方ケース１９２の内部空間１３に配される。これに伴い、Ｚ方向における装着部８１１とシール部１７との間に配されたハウジング開口部８１０は、相手方ケース１９２の内部空間１３に配される。
【００８４】
相手方ケース１９２の内部空間１３は、大気と連通している。これにより、コネクタ１を備えた制御機器１０が車両に搭載された状態において、通気路１４は、ハウジング開口部８１０から相手方ケース１９２を介して大気と連通する。そして、制御機器１０は、通気路１４を塞いだ状態において、ケース１１の内部空間１３が密封された空間となるよう構成されている。
【００８５】
〔作用効果〕
次に、本実施形態の作用効果につき説明する。
本実施形態のコネクタ１において、タワー溝５１２は、重なり面内において曲がった形状を有する。それゆえ、タワー溝５１２を直線状に形成するとタワー溝５１２が第一中子５に形成された第一端子２や第二中子６に形成された第二端子３等に干渉する場合であっても、タワー溝５１２が第一端子２、第二端子等に干渉しないようにすることができる。
【００８６】
また、タワー溝５１２は、Ｚ方向に長尺な外側溝部５１２ａと、外側溝部５１２ａに対してＹ方向にオフセットした位置において突出方向に長尺に形成されるとともに外側溝部５１２ａよりも通気路１４における内部空間１３に近い側に形成された内側溝部５１２ｃと、を有する。それゆえ、例えば外側溝部５１２ａのＺ方向の延長線上に端子、その他の障害物が第一中子５や第二中子６内に配されていた場合であっても、内側溝部５１２ｃを外側溝部５１２ａに対してＹ方向にオフセットさせることにより、当該障害物をかわして通気路１４を形成することができる。
【００８７】
また、タワー溝５１２の外側溝部５１２ａをＺ方向に延長した延長線上には、第二ベース端子部３３が配されている。それゆえ、外側溝部５１２ａをＺ方向にそのまま延長するように溝部５１２を形成してしまうと、第二ベース端子部３３によって通気路１４が塞がれたり、第二ベース端子部３３が邪魔をして通気路１４が形成できなかったりするおそれがある。そこで、第二ベース中子部６２は、面方向において第二ベース端子部３３からずれた位置に形成されて通気路１４の一部を構成する第二孔部６２１を有する。そして、タワー溝５１２の内側溝部５１２ｃは、第二孔部６２１に連通している。それゆえ、外側溝部５１２ａをＺ方向に延長した延長線上に第二ベース端子部３３が位置していても、第二ベース端子部３３をかわすように溝部５１２及び第二孔部６２１を形成することができる。
【００８８】
また、第二ベース中子部６２は、第二ベース端子部３３同士の間に第二孔部６２１を有する。それゆえ、第二ベース中子部６２における第二ベース端子部３３同士の間のスペースを通気路１４として有効に活用できるため、コネクタ１全体が大型化することを防止しやすい。
【００８９】
また、第二中子６の第二重なり面６１１は、溝部５１２の形成箇所の両側において溝部５１２に沿うよう形成された凸条部を有し、第一中子５の第一重なり面５１１は、凸条部に嵌合する凹条部を有する。それゆえ、凸条部と凹条部との接触面の形状を複雑にすることができる。それゆえ、ハウジング８成形時、第一中子５及び第二中子６がハウジング８成形型に配された状態で、型内にハウジング８を構成する液状の樹脂を流し込む際、当該液状の樹脂が第一中子５と第二中子６との界面を通って通気路１４を塞いでしまうことを防止しやすい。
【００９０】
また、凸条部が凹条部に嵌合してなる嵌合部１５における内側溝部５１２ｃに沿う部位である内側嵌合部１５ｂは、嵌合部１５における外側溝部５１２ａに沿う部位である外側嵌合部１５ａに対して、内側溝部５１２ｃが外側溝部５１２ａに対してオフセットした側と同じ側（Ｙ２側）にオフセットしている。それゆえ、内側嵌合部１５ｂ及び外側嵌合部１５ａの双方を、タワー溝５１２に近付けやすい。それゆえ、ハウジング８成形時において、ハウジング８を構成する液状の樹脂が、第一中子５と第二中子６との界面に浸入した場合においても、当該液状の樹脂の浸入を溝部５１２の近傍で食い止めることができる。それゆえ、前記液状の樹脂が第一中子５と第二中子６との界面を通って通気路１４を塞いでしまうことを一層防止しやすい。
【００９１】
以上のごとく、本実施形態によれば、溝部を適切に形成しやすいコネクタを提供することができる。
【００９２】
（実施形態２）
本実施形態は、図１５〜図１７に示すごとく、実施形態１に対して、通気路１４の一部を変更した実施形態である。
【００９３】
図１５、図１６に示すごとく、タワー溝５１２は、外側溝部５１２ａのＺ１側端部からＹ２側に延設された延設溝部５１２ｄを有する。延設溝部５１２ｄにおける外側溝部５１２ａ側と反対側の端部（すなわちＹ２側端部）は、Ｙ２側に開放されている。
【００９４】
図１７に示すごとく、第二中子６の第二タワー中子部６１の第二重なり面６１１は、全体的にＸ方向に直交する平面状に形成されている。図１５に示すごとく、第一中子５と第二中子６とが重なった状態において、延設溝部５１２ｄを含むタワー溝５１２と第二重なり面６１１との間に、通気路１４の一部が形成される。
【００９５】
図１５に示すごとく、ハウジング開口部８１０は、延設溝部５１２ｄのＹ２側端部と連通するよう、延設溝部５１２ｄのＹ２側に形成されている。
【００９６】
なお、本実施形態において、第一中子５は、実施形態１で示した貫通孔（図４、図６等の符号５１３参照）を有さない。また、本実施形態においては、第一重なり面５１１及び第二重なり面６１１は、実施形態１で示した凸条部及び凹条部を有さない。
【００９７】
その他は、実施形態１と同様である。
なお、実施形態２以降において用いた符号のうち、既出の実施形態において用いた符号と同一のものは、特に示さない限り、既出の実施形態におけるものと同様の構成要素等を表す。
【００９８】
本実施形態においては、通気路１４を構成するために、第一中子５には溝部５１２のみを形成すればよい。それゆえ、第一中子５の形状を簡素にしやすい。
その他、実施形態１と同様の作用効果を有する。
【００９９】
（実施形態３）
本実施形態は、図１８に示すごとく、実施形態１に記載の第一ケース部（図１〜図３等の符号１１１参照）に相当する部位を、ハウジング８にて構成した実施形態である。
【０１００】
本実施形態においては、コネクタ１が、ケース１１としての第二ケース部１１２と共に、回路基板１２が収容される内部空間１３を形成している。
その他は、実施形態１と同様である。
【０１０１】
本実施形態においては、ハウジング８の一部にケースとしての機能を持たせているため、部品点数の削減を図りやすい。
その他、実施形態１と同様の作用効果を有する。
【０１０２】
本発明は、前記各実施形態に限定されるものではなく、その要旨を逸脱しない範囲において種々の実施形態に適用することが可能である。
【符号の説明】
【０１０３】
１  コネクタ
１０  制御機器
１１  ケース
１１１  第一ケース部
１１１ａ  ボス部
１１２  第二ケース部
１２  回路基板
１３  内部空間
１４  通気路
１５  嵌合部
１５ａ  外側嵌合部
１５ｂ  内側嵌合部
１６  通気膜
１７  シール部
１９１  相手方コネクタ
１９２  相手方ケース
１９３  相手方配置穴
２  第一端子
２１  第一突出端子部
２２  第一タワー端子部
２２１  第一先端タワー端子
２２２  第一中間タワー端子
２２３  第一基端タワー端子
３  第二端子
３１  第二突出端子部
３２  第二タワー端子部
３２１  第二先端タワー端子
３２２  第二中間タワー端子
３２３  第二基端タワー端子
３３  第二ベース端子部
３３１  第二特定端子部
３３１ａ  第二離隔端子
３３１ｂ  第二等間隔端子群
４  第三端子
４１  第三突出端子部
４２  第三特定端子部
４２１  第三離隔端子
４２２  第三等間隔端子群
５  第一中子
５１  第一タワー中子部
５１１  第一重なり面
５１２  溝部（タワー溝）
５１２ａ  外側溝部
５１２ｂ  連結溝部
５１２ｃ  内側溝部
５１２ｄ  延設溝部
５１３  貫通孔
５１４ａ  第一凹条部
５１４ｂ  第二凹条部
５１４ｃ  第三凹条部
５１４ｄ  第四凹条部
５２  第一ベース中子部
６  第二中子
６１  第二タワー中子部
６１１  第二重なり面
６１２ａ  第一凸条部
６１２ｂ  第二凸条部
６１２ｃ  第三凸条部
６１２ｄ  第四凸条部
６１３  位置決め凸部
６２  第二ベース中子部
６２１  第二孔部
７  第三中子
７１  第三タワー中子部
７２  第三ベース中子部
７２１  第三孔部
８  ハウジング
８１  ハウジングタワー部
８１０  ハウジング開口部
８１１  装着部
８１２  隔壁
８１３  シール配置凹部
８２  ハウジングベース部
８２１  係合凹部
Ｂ  ボルト
【図１】
2020135990.tif 000003
【図２】
2020135990.tif 000004
【図３】
2020135990.tif 000005
【図４】
2020135990.tif 000006
【図５】
2020135990.tif 000007
【図６】
2020135990.tif 000008
【図７】
2020135990.tif 000009
【図８】
2020135990.tif 000010
【図９】
2020135990.tif 000011
【図１０】
2020135990.tif 000012
【図１１】
2020135990.tif 000013
【図１２】
2020135990.tif 000014
【図１３】
2020135990.tif 000015
【図１４】
2020135990.tif 000016
【図１５】
2020135990.tif 000017
【図１６】
2020135990.tif 000018
【図１７】
2020135990.tif 000019
【図１８】
2020135990.tif 000020
【手続補正書】
【提出日】令和1年12月18日(2019.12.18)
【手続補正１】
【補正対象書類名】明細書
【補正対象項目名】００３９
【補正方法】変更
【補正の内容】
【００３９】
図１１、図１２に示すごとく、第一先端タワー端子２２１は、連結溝部５１２ｂとＺ方向に重なる位置に形成されている。第一先端タワー端子２２１は、第一突出端子部２１からＺ方向における連結溝部５１２ｂよりも若干Ｚ１側の位置まで形成されている。そして、図１２に示すごとく、第一中間タワー端子２２２は、タワー溝５１２よりもＸ１側の位置まで形成されている。第一基端タワー端子２２３は、タワー溝５１２のＸ１側の位置において、Ｚ方向にまっすぐ形成されている。このように、第一端子２の少なくとも一方は、タワー溝５１２を避けるようクランク状に形成されている。
【手続補正２】
【補正対象書類名】明細書
【補正対象項目名】００４８
【補正方法】変更
【補正の内容】
【００４８】
第二ベース中子部６２は、Ｚ方向に直交する面状に形成されている。第二ベース中子部６２は、第二タワー中子部６１からＸ１側に形成されるとともに、第二タワー中子部６１よりもＹ１側に突出している。第二ベース中子部６２のＹ１側端部からＺ２側に向かって、第二端子３の回路基板１２に接続される側の端部が突出している。
【手続補正３】
【補正対象書類名】明細書
【補正対象項目名】００５２
【補正方法】変更
【補正の内容】
【００５２】
６つの第二中間タワー端子３２２のうちのＹ２側端部の第二中間タワー端子３２２以外の５つは、第二先端タワー端子３２１からＺ２側に向かうほどＹ１側に向かうよう傾斜している。一方、６つの第二中間タワー端子３２２のうちのＹ２側端部に配された第二中間タワー端子３２２は、第二先端タワー端子３２１からＺ２側に向かうほどＹ２側に向かうよう傾斜している。すなわち、６つの第二中間タワー端子３２２のうちのＹ２側端部に配されたものは、Ｚ２側に向かうほど隣接する第二中間タワー端子３２２から遠ざかるよう傾斜している。
【手続補正４】
【補正対象書類名】明細書
【補正対象項目名】００８３
【補正方法】変更
【補正の内容】
【００８３】
ここで、コネクタ１を備えた制御機器１０は、自動変速機内に満たされたオイルの中に配される。図３に示すごとく、制御機器１０に、相手方コネクタ１９１、相手方ケース１９２が組み付いた状態においては、制御機器１０は、シール部１７よりもＺ２側の領域が油中環境下に配される一方、シール部１７よりもＺ１側の領域は相手方ケース１９２の内部空間に配される。これに伴い、Ｚ方向における装着部８１１とシール部１７との間に配されたハウジング開口部８１０は、相手方ケース１９２の内部空間に配される。
【手続補正５】
【補正対象書類名】明細書
【補正対象項目名】００８４
【補正方法】変更
【補正の内容】
【００８４】
相手方ケース１９２の内部空間は、大気と連通している。これにより、コネクタ１を備えた制御機器１０が車両に搭載された状態において、通気路１４は、ハウジング開口部８１０から相手方ケース１９２を介して大気と連通する。そして、制御機器１０は、通気路１４を塞いだ状態において、ケース１１の内部空間１３が密封された空間となるよう構成されている。
【手続補正６】
【補正対象書類名】図面
【補正対象項目名】図２
【補正方法】変更
【補正の内容】
【図２】
2020135990.tif 000021
【手続補正７】
【補正対象書類名】図面
【補正対象項目名】図３
【補正方法】変更
【補正の内容】
【図３】
2020135990.tif 000022
【手続補正８】
【補正対象書類名】図面
【補正対象項目名】図４
【補正方法】変更
【補正の内容】
【図４】
2020135990.tif 000023
【手続補正９】
【補正対象書類名】図面
【補正対象項目名】図７
【補正方法】変更
【補正の内容】
【図７】
2020135990.tif 000024
【手続補正１０】
【補正対象書類名】図面
【補正対象項目名】図８
【補正方法】変更
【補正の内容】
【図８】
2020135990.tif 000025
【手続補正１１】
【補正対象書類名】図面
【補正対象項目名】図１０
【補正方法】変更
【補正の内容】
【図１０】
2020135990.tif 000026
【手続補正１２】
【補正対象書類名】図面
【補正対象項目名】図１１
【補正方法】変更
【補正の内容】
【図１１】
2020135990.tif 000027
【手続補正１３】
【補正対象書類名】図面
【補正対象項目名】図１２
【補正方法】変更
【補正の内容】
【図１２】
2020135990.tif 000028
【手続補正１４】
【補正対象書類名】図面
【補正対象項目名】図１３
【補正方法】変更
【補正の内容】
【図１３】
2020135990.tif 000029
【手続補正１５】
【補正対象書類名】図面
【補正対象項目名】図１６
【補正方法】変更
【補正の内容】
【図１６】
2020135990.tif 000030
【手続補正１６】
【補正対象書類名】図面
【補正対象項目名】図１７
【補正方法】変更
【補正の内容】
【図１７】
2020135990.tif 000031
【手続補正１７】
【補正対象書類名】図面
【補正対象項目名】図１８
【補正方法】変更
【補正の内容】
【図１８】
2020135990.tif 000032